(57)【特許請求の範囲】
【請求項１】
少なくとも１つの搬送波周波数を使用して送信機から受信機へデジタル情報を伝送するデジタル情報伝送システムであって、
前記送信機は、
前記搬送波周波数ごとに、閾値を超える強度を持つ電磁妨害波の継続時間および発生周期を推定する推定手段と、
前記搬送波周波数ごとに、前記推定された継続時間および発生周期に応じたスループットと保証値との比較に基づいて伝送方法を決定する決定手段と、
前記決定された伝送方法に従って送信を行う送信手段と、
を具備することを特徴とするデジタル情報伝送システム。
【請求項２】
前記決定手段は、前記スループットが前記保証値を超える搬送波周波数については、前記電磁妨害波が存在しない時間に送信を行い、前記スループットが前記保証値を下回る搬送波周波数については、前記電磁妨害波が存在する時間および前記電磁妨害波が存在しない時間の両方において送信を行うように、前記伝送方法を決定することを特徴とする請求項１に記載のデジタル情報伝送システム。
【請求項３】
少なくとも１つの搬送波周波数を使用して送信機から受信機へデジタル情報を伝送するデジタル情報伝送方法であって、
前記送信機が、前記搬送波周波数ごとに、閾値を超える強度を持つ電磁妨害波の継続時間および発生周期を推定することと、
前記送信機が、前記搬送波周波数ごとに、前記推定された継続時間および発生周期に応じたスループットと保証値との比較に基づいて伝送方法を決定することと、
前記送信機が、前記決定された伝送方法に従って送信を行うことと、
を具備することを特徴とするデジタル情報伝送方法。
【請求項４】
前記伝送方法を決定することは、前記スループットが前記保証値を超える搬送波周波数については、前記電磁妨害波が存在しない時間に送信を行い、前記スループットが前記保証値を下回る搬送波周波数については、前記電磁妨害波が存在する時間および前記電磁妨害波が存在しない時間の両方において送信を行うように、前記伝送方法を決定することを含むことを特徴とする請求項３に記載のデジタル情報伝送方法。
【請求項５】
少なくとも１つの搬送波周波数を使用して受信機へデジタル情報を伝送する送信機であって、
前記搬送波周波数ごとに、閾値を超える強度を持つ電磁妨害波の継続時間および発生周期を推定する推定手段と、
前記搬送波周波数ごとに、前記推定された継続時間および発生周期に応じたスループットと保証値との比較に基づいて伝送方法を決定する決定手段と、
前記決定された伝送方法に従って送信を行う送信手段と、
を具備することを特徴とする送信機。
【請求項６】
前記決定手段は、前記スループットが前記保証値を超える搬送波周波数については、前記電磁妨害波が存在しない時間に送信を行い、前記スループットが前記保証値を下回る搬送波周波数については、前記電磁妨害波が存在する時間および前記電磁妨害波が存在しない時間の両方において送信を行うように、前記伝送方法を決定することを特徴とする請求項５に記載の送信機。
【発明の詳細な説明】
【技術分野】
【０００１】
本発明は、電気信号の伝送によってデジタル情報を伝送するデジタル情報伝送システムに関する。
【背景技術】
【０００２】
金属線を通信伝送路として使用するＡＤＳＬ（Asymmetric Digital Subscriber Line）などのデジタル情報伝送システムでは、当該システム以外の媒体から発せられる電磁波（他の通信や放送に使用される電磁波、周囲の電気・電子機器から発せられる電磁波）が通信伝送路上に結合し、伝導性の電磁妨害波として、通信伝送路で伝達される電気信号に影響を与える（電磁妨害する）。このことにより、伝送情報の誤りや欠落などの通信品質劣化が生じる場合がある。これを回避するため、一般的なデジタル情報伝送システムは、伝送する情報に生じた誤りを訂正する誤り検出訂正機能を備えている。
【０００３】
例えば、誤り検出訂正機能を備えた従来のＡＤＳＬにおけるデジタル情報の伝送処理では、サーバなどの情報送信装置から送信されるデジタル情報は、ＡＤＳＬ送信機において、ＣＲＣ（Cyclic Redundancy Code）符号化、リード・ソロモン（Reed-Solomon Code：ＲＳ）符号化、スクランブル処理、トレリス符号化、ＱＡＭ（Quadrature Amplitude Modulation）とＩＦＦＴ（Inverse Fast Fourier Transform）を含むＤＭＴ（Discrete Multi-tone）変調、ＣＰ（Cyclic Prefix）付加処理が順次行われた後、ＡＦＥ（Analog Front End）処理によってアナログ信号に変換され、伝送路に電気信号として出力される。一方、ＡＤＳＬ受信機では、伝送路から伝送された電気信号（アナログ多重波）がＡＦＥ処理によってデジタル信号に変換され、ＴＥＱ（Time domain Equalizer）により時間軸上の波形等化が行われる。続いて、ＣＰ削除、ＦＦＴによるＤＭＴの復調処理が行われ、周波数軸上の波形等化処理ＦＥＱ（Frequency domain Equalizer）が施される。ＤＭＴの復調処理に含まれるＱＡＭの復調過程では、アナログ多重波の各周波数成分から読み出された受信信号の各ＱＡＭ星座点からのユークリッド距離情報が算出され、これがビタビ復号器へ渡される。ビタビ復号器では、ユークリッド距離情報に基づいて受信信号のシンボル判定が行われる。以降、デスクランブル処理、ＲＳ復号の後、ＣＲＣ検査によりシンボル判定後の情報に誤りがないかどうかの確認が行われ、パーソナルコンピュータ（ＰＣ）などの受信端末に送信される。この時、誤り訂正で訂正しきれなかった情報が所定の割合で残存している場合は、一般に、その情報は破棄される。
【０００４】
このように、ＡＤＳＬにおける情報の送受信過程では、上記のように、ＣＲＣ符号化／検査、ＲＳ符号化／復号、スクランブル／デスクランブル、トレリス符号化／ビタビ復号によって誤り検出訂正が行われている。それぞれの特長を組み合わせることで、伝送システムの妨害波に対する耐性が高い、つまり伝送誤りを生じにくい通信を成立させている。
【０００５】
さらにＤＭＴ（マルチキャリア伝送方式）では、ＡＤＳＬモデムとＤＳＬＡＭ（Digital Subscriber Line Access Multiplexer）間で複数のサブキャリア（ビン）の各々に対して最大１５ビットを割り当てる。その際、妨害波の影響が大きいビンには相対的に少ないビットを割り当て、妨害波の影響が少ないビンには相対的に多くのビットを割り当てる。例えば、非特許文献１には、ＡＤＳＬモデムとＤＳＬＡＭ間のリンク確立時に通信伝送路をモニタリングし（トレーニング）、ビン１個ずつについて信号と妨害波の強度を確認して各ビンに乗せるビット量を決定する（ビットマップ）ことが開示されている。
【先行技術文献】
【非特許文献】
【０００６】
【非特許文献１】湯浅  重数、浅貝  修一朗、「小さな箱の中に先端技術がいっぱい  ＡＤＳＬモデムの内部を解き明かす」、日経NETWORK、pp. 194-199、2002. 08
【発明の概要】
【発明が解決しようとする課題】
【０００７】
しかしながら、妨害波の影響が大きいビンには少ないビットしか割り当てることができないので、その分、伝送するビット量が少なくなる。すなわち、妨害波存在下では、伝送する情報量を少なくすることでシンボル判定誤りを少なくする方式が採用されている結果として、スループットは低下せざるを得ない。
【０００８】
また、誤り検出訂正機能を備えていても、妨害波の強度が大きく、十分な信号対雑音比（Ｓ／Ｎ比）が得られない場合には、必ずしも完全に誤りを訂正できるわけではない。その結果、ＡＤＳＬ送受信機におけるＣＲＣ検査で廃棄されるフレームが増加するので、この場合もスループットが低下してしまう。
【０００９】
本発明は、上記事情に着目してなされたものであり、その目的とするところは、妨害波が存在する環境下においてもスループットの高い情報伝送を行うことができる、デジタル情報伝送システムとこのシステムで使用される送信機および方法を提供することにある。
【課題を解決するための手段】
【００１０】
上記課題を解決するために、本発明の一態様は、少なくとも１つの搬送波周波数を使用して送信機から受信機へデジタル情報を伝送するデジタル情報伝送システムであって、前記送信機が、前記搬送波周波数ごとに、閾値を超える強度を持つ電磁妨害波の継続時間および発生周期を推定する推定手段と、前記搬送波周波数ごとに、前記推定された継続時間および発生周期に応じたスループットと保証値との比較に基づいて伝送方法を決定する決定手段と、前記決定された伝送方法に従って送信を行う送信手段と、を備えるようにしたものである。
【００１１】
本発明の他の態様は、前記決定手段において、前記スループットが前記保証値を超える搬送波周波数については、前記電磁妨害波が存在しない時間に送信を行い、前記スループットが前記保証値を下回る搬送波周波数については、前記電磁妨害波が存在する時間および前記電磁妨害波が存在しない時間の両方において送信を行うように、前記伝送方法を決定するようにしたものである。
【発明の効果】
【００１２】
本発明によれば、妨害波が存在する環境下においてもスループットの高い情報伝送を行うことができる。
【図面の簡単な説明】
【００１３】
【図１】本発明の原理説明に使用する、バースト性妨害波の継続時間とスループットとの関係を示す実験結果例を示す図。
【図２】この発明の原理説明に使用する、ＡＤＳＬフレームの変調間隔とバースト性妨害波の印加タイミングの例を示す図。
【図３】本発明の第１の実施形態に係るデジタル情報伝送システムの一例を示すブロック図。
【図４】ＡＤＳＬにおけるデジタル情報の伝送処理例を示すブロック図。
【図５】図３に示したデジタル情報伝送処理部をより詳細に示す機能ブロック図。
【図６】妨害波信号の時系列データの一例を示す図。
【図７】図３のデジタル情報伝送システムにおけるデジタル情報伝送処理の一例を示すシーケンス図。
【図８】図３に示した送信機の動作例を示すフローチャート。
【発明を実施するための形態】
【００１４】
以下、図面を参照しながら本発明の実施形態を説明する。
【００１５】
［原理］
一般に、妨害波は周波数帯域にある程度の幅を持ち、時間軸上で見たとき、その継続時間にも幅があり、発生タイミングもばらつきがある。電磁環境下の妨害波の代表的なものに電源系の妨害波が存在するが、このような妨害波は周波数、周期および強度がほぼ一定である。本発明者らは、妨害波の強度が時間的に周期性を持つ場合に着目し、バースト的に発生する妨害波、すなわちバースト性妨害波の継続時間およびその発生周期とスループットとの間にある関係性を明らかにするために、ｄｕｔｙ比一定（０．１２５）の条件下で継続時間と繰り返し周期を変化させて、バースト性妨害波を模擬したＳＷ（Sinusoidal Wave）のパルス変調波をＡＤＳＬ下り通信信号に印加する実験を行った。
【００１６】
その実験結果を図１に示す。図１から明らかなように、バースト性妨害波の継続時間が長くなるほど、スループットの低下が抑制されることが確認された。この点について、ＡＤＳＬフレームの変調間隔とバースト性妨害波の印加タイミングを表す図２を用いて説明する。ＡＤＳＬは２５０μｓに１回の割合でＱＡＭにより送信フレームを生成している。この送信フレームの変調間隔で区切られる時間をタイムスロットとし、タイムスロット内に妨害波が印加される確率をｎ（妨害されるタイムスロット）／Ｎ（全タイムスロット）で表す。図２を参照すると、妨害確率ｎ／Ｎについて、条件Ａ：５／６、条件Ｂ：５／８、条件Ｃ：１／２、条件Ｄ：１／４とした場合、バースト性妨害波（ＳＷのパルス変調波、ｄｕｔｙ比０．１２５）の繰り返し周期がＡＤＳＬのタイムスロット（２５０μｓ）よりも長い領域においては、継続時間（繰り返し周期でも同義）が長くなるほど、タイムスロットの妨害確率は低下する。すなわち、継続時間が長くなるほどスループットが低下しなくなる傾向を示す実験結果は、タイムスロットの妨害確率の低下に従って、スループットが低下しにくくなることに対応している。
【００１７】
そこで、本発明の実施形態では、ＡＤＳＬの送信フレームが妨害されることによるスループットの低下を防ぐために、送信フレームを妨害する強度を持つバースト性妨害波がどの周波数、どのタイミングで発生するかをあらかじめ検知し、妨害波が発生しない時間に、あるいは図１に示すようなスループットの保証値を使用用途によってあらかじめ決定しておき、妨害波存在下においても保証値以上のスループットが出る時間にフレームを送信する。このようにすることで、妨害波による影響を受けずに情報伝送を行うことが可能となる。
【００１８】
具体的には、デジタル情報の伝送に先立ち、送信機と受信機を結ぶ通信伝送路上に存在するバースト性妨害波に関して、送信フレームを妨害する強度を持つバースト性妨害波の周波数成分情報およびバースト性妨害波の周期性を特徴付けるバースト性妨害波の継続時間情報とその発生周期情報を抽出し、妨害波パラメータとしてメモリに記憶させる。この際、抽出された妨害波パラメータを、その妨害波存在下におけるスループットの情報と関連付けてメモリに記憶させる。そして、妨害波が存在しない時間に情報伝送を行う、あるいは継続時間がある程度長い妨害波が来ている時間、すなわち使用用途によってあらかじめ決められたスループットの保証値以上のスループットを確保できる時間に情報伝送を行う。それにより、スループットの保証値以上のスループットを常時確保してデジタル情報を伝送することができる。
【００１９】
［第１の実施形態］
図３は、本発明の第１の実施形態に係るデジタル情報伝送システムの構成例を示している。図３に示されるデジタル情報伝送システムは、通信伝送路Ｌ２を介して互いに接続される送信機ＴＸおよび受信機ＲＸを含む。デジタル情報伝送システムは、基本的には送受信機（通信装置）間でデジタル情報を伝送するものである。ここでは、一方の送受信機から他方の送受信機へデジタル情報を伝送する場合について説明することとし、デジタル情報の送信の役割を果たす送受信機を送信機と呼び、デジタル情報の受信の役割を果たす送受信機を受信機と呼ぶ。このため、受信機ＲＸは、送信機ＴＸと同一のハードウェア構成および機能を有することができる。図３に例示される送信機ＴＸのハードウェア構成は、基本的には従来のＡＤＳＬ通信の送受信機で採用された構成と同じものであるが、本発明に係る情報処理は、図３に示されるようにハードウェア機能としてＤＳＰ（Digital Signal Processor）で行われてもよく、ソフトウェア機能としてＣＰＵ（Central Processing Unit）で行われてもよい。
【００２０】
送信機ＴＸには、ＰＣやサーバなどの電子機器（図示せず）がＬＡＮ（Local Area Network）ケーブル（図３の例ではＥｔｈｅｒｎｅｔ（登録商標）ケーブル）Ｌ１を介して接続される。電子機器は、伝送すべきデジタル情報（図３の例ではＥｔｈｅｒｎｅｔフレーム）を送信機ＴＸに入力する。送信機ＴＸは、入力されたデジタル情報を、通信伝送路Ｌ２を介して受信機ＲＸへマルチキャリア通信方式により伝送する。具体的には、送信機ＴＸは、ＬＡＮインターフェース（ＬＡＮ−ＩＦ）３１、ＣＰＵ３２、メモリ３３、ＤＳＰ３４、ＡＦＥ３５、および入出力インターフェース（Ｉ／Ｏ−ＩＦ）３６を備える。
【００２１】
電子機器から入力されたデジタル情報は、ＬＡＮインターフェース３１を介してＣＰＵ３２に渡される。ＣＰＵ３２は、従来のＡＤＳＬの情報伝送機能のソフトウェア処理を実行する。この情報伝送機能は、ＡＤＳＬの送受信器間で信号をやり取りすることで得た情報を使ってリンク速度や１回の変調で送信するデータ量の計算をする「トレーニング」処理を含む。デジタル情報は、ＣＰＵ３２でのソフトウェア処理によって４８バイトなどの所定のデータ長に分割され、その後の処理に必要となる付加情報が付加され、メモリ３３に格納される。ＤＳＰ３４は、メモリ３３から分割された情報を読み出し、１回の変調で生成するフレーム（出力フレーム）生成を含む一連のデータ処理を行う。この過程で、ＤＳＰ３４は、図４に示されるように、ＣＲＣ符号化（Ｔ１）、ＲＳ符号化（Ｔ２）、スクランブル処理（Ｔ３）、トレリス符号化（Ｔ４）、ＱＡＭ（Ｔ５１）およびＩＦＦＴ（Ｔ５２）を含むＤＭＴ変調（Ｔ５）、ＣＰ付加処理（Ｔ６）を順次実行する。ＡＦＥ３５は、ＡＦＥ処理（Ｔ７）を実行する。具体的には、ＡＦＥ３５は、ＤＳＰ３４によって生成されたデジタル信号をアナログ信号にマッピングしてアナログ伝送信号を生成し、入出力インターフェース３６を介して通信伝送路Ｌ２上に送出する。送信機ＴＸの入出力インターフェース３６と受信機ＲＸの入出力インターフェースが有線接続されており、その区間が通信伝送路Ｌ２となる。
【００２２】
受信機ＲＸは、送信機ＴＸからアナログ伝送信号を受信し、受信したアナログ伝送信号をデジタル信号に変換した後にメモリに格納し、メモリからデジタル信号を読み出し、受信機ＲＸに接続されるＰＣやサーバなどの電子機器とＬＡＮインターフェースを介して通信するために必要な処理を、送信機ＴＸと逆の手順でＤＳＰおよびＣＰＵを介して行う。具体的には、受信機ＲＸは、受信したアナログ伝送信号をアナログデジタル変換し（Ｒ１）、時間軸上の波形等化処理（Ｒ２）を行う。そして、デジタル信号からＣＰを削除した（Ｒ３）後、先ずＦＦＴによりサブキャリアごとにＤＭＴ復調処理（Ｒ４）を行う。続いて、この復調後の信号に対し周波数軸上の波形等化処理（Ｒ５）を行った後、ＱＡＭ復調して受信ベースバンド信号を復元する処理（Ｒ６）を行う。さらに、上記復調処理により得られた受信ベースバンド信号に対し、ビタビ復号器により受信信号のシンボル判定を行った（Ｒ７）後、デスクランブル処理（Ｒ８）およびＲＳ復号処理（Ｒ９）を行う。そして、この誤り訂正処理後のデータについてＣＲＣ検査（Ｒ１０）により情報の誤りがないかどうかを検査する。ＣＲＣ検査後のデータは、メモリに一旦保存された後に、ＬＡＮインターフェースからからＬＡＮケーブルを介して図示しないＰＣやサーバなどの電子機器へ渡される。
【００２３】
ところで、送信機ＴＸのＤＳＰ３４は、上記基本機能に加え、本実施形態を実現するために必要な新たな機能として、デジタル情報伝送処理部５０を備えている。デジタル情報伝送処理部５０は、妨害波パラメータ抽出部５２およびフレーム伝送処理部５３を含む。妨害波パラメータ抽出部５２は、送信フレームを妨害する強度を持つ妨害波を検知し、受信機ＲＸへの情報伝送に使用するサブキャリアごとに、妨害波の継続時間および発生周期を妨害波パラメータとして抽出する。フレーム伝送処理部５３は、妨害波パラメータ抽出部５２によって抽出されたサブキャリアごとの妨害波パラメータに基づいてフレーム伝送処理を行う。
【００２４】
図５は、デジタル情報伝送処理部５０のより詳しい機能構成を示すブロック図である。図５に示されるように、妨害波パラメータ抽出部５２は、エッジトリガ部５２１、計測部５２２、および統計処理部５２３を含む。フレーム伝送処理部５３は、フレーム伝送方法決定部５３１、フレーム伝送部５３２、およびフレーム読み出し部５３３を含む。図５に示される記憶部５４および送受信フレーム格納部５５は、図３に示されるメモリ３３により実現されることができる。
【００２５】
通信伝送路Ｌ２上で検知される妨害波信号は、ＦＦＴ処理部５１によりＦＦＴ処理されてから妨害波パラメータ抽出部５２に渡されるので、サブキャリアごとに時系列データが蓄積されることになる。本実施形態では、送受信機間で通信が行われていない状態で観測される信号を妨害波信号とする。妨害波信号の時系列データを図６に例示する。妨害波パラメータ抽出部５２は、サブキャリアごとに妨害波の継続時間および発生周期を推定する。あるサブキャリアにおいて、妨害波パラメータ抽出部５２のエッジトリガ部５２１は、図６の破線の円に示されるように、妨害波信号の強度が閾値、すなわち送信フレームを妨害する強度を超えたときおよび閾値を下回るときを検出する。計測部５２２は、閾値を超えたときから閾値を下回るまでの時間を妨害波の継続時間として計測する。統計処理部５２３は、計測部５２２によって計測された継続時間のヒストグラムを作ることで、ヒストグラムの極大値となる継続時間を、今後も通信伝送路に混入する妨害波の継続時間として決定する。さらに、計測部５２２は、妨害波信号の強度が閾値を超えたときから、一度閾値を下回り、再び閾値を超えるときまでの時間を妨害波の発生周期として計測する。統計処理部５２３は、継続時間に対する処理と同様に、計測部５２２によって計測された発生周期のヒストグラムを作ることで、ヒストグラムの極大値となる発生周期を、今後も通信伝送路に混入する妨害波の発生周期として決定する。妨害波パラメータ抽出部５２は、妨害波の継続時間および発生周期に関する処理をＦＦＴ処理後の各サブキャリアについて行う。
【００２６】
各サブキャリアに対して算出された妨害波パラメータ（継続時間および発生周期）の値は、その妨害波存在下におけるスループットと関連付けて記憶部５４に保持・更新される。例えば、妨害波パラメータ（継続時間および発生周期）とスループットの関係を実験的に得てデータベースを構築しておき、各サブキャリアに対して算出された妨害波パラメータでデータベースを参照することによってスループットが決定される。サブキャリアごとに妨害波パラメータ抽出処理を行うことで、妨害波が存在しない周波数成分のサブキャリアでは、妨害波信号の強度が小さく、閾値を超えるときがないため、妨害波の継続時間および発生周期を０秒と決定することができ、そのサブキャリアに多くのデジタル情報を割り当てることができる。
【００２７】
フレーム伝送方法決定部５３１は、記憶部５４に格納されている妨害波パラメータと関連付けられたスループットとスループットの保証値との比較に基づいて、スループットの保証値を確保できる伝送方法を決定する。具体的には、フレーム伝送方法決定部５３１は、スループットを低下させる妨害波が存在する時間にはフレームを送信しないこと、一方で妨害波が存在していてもスループットが低下しない、またはスループット保証値を確保できる時間にはフレームを送信することを決定する。
【００２８】
例として、図１に実線で示されるスループットの保証値を確保した伝送を実現する方法を以下に示す。送信機下部から送信機ＴＸに入力されるデータの長さをＬ、１つの送信フレームで受信機ＲＸ側に伝送できるデータをＴとすると、Ｌの長さを持つデータを送信機ＴＸから受信機ＲＸに伝送するために必要なタイムスロットＮは、Ｎ＝Ｌ／Ｔで表される。送信フレームを妨害する強度を持つ妨害波が存在するタイムスロットの連続数をＤとすると、Ｄ＝０の場合には、送信フレームが妨害されないので、通常通りの伝送を行う。図１のプロットにおいて、横軸の値が大きくなることはＤが増大することと同義である。プロットの遷移は単調増加の傾向であるので、保証値を示す実線とプロットの遷移が交差するときのＤの値をｋとすると、０＜Ｄ＜ｋの範囲では、通常の伝送方法をとる場合、スループットが保証値を下回るため、送信フレームを妨害する強度を持つ妨害波が存在するタイムスロットでは情報伝送を行わず、送信フレームを妨害する強度を持つ妨害波が存在しないタイムスロットのみで情報伝送を行う。この際、データ伝送が完了するまでに必要な時間Ｎ′は、Ｎ′＞Ｎの関係になるが、Ｎで送られたデータであっても、Ｎ′で送られたデータであっても、受信機ＴＸではメモリから誤りのないフレームを定速ｖで読み出すため、どちらの場合でも受信機下部までのデータ伝送が完了するために必要な時間はＬ／ｖで変わらないため、スループットの低下は回避される。
【００２９】
一方、ｋ≦Ｄの範囲では、送信フレームを妨害する強度を持つ妨害波が存在するにもかかわらず、スループットは保証値を上回っているので、この場合には、送信フレームを妨害する強度を持つ妨害波が存在するタイムスロットでも情報伝送を行う。さらに、上記のように、送信フレームを妨害する強度を持つ妨害波が存在しないタイムスロットのみでしか情報伝送を行わないために、送信機ＴＸに入力されている情報で受信機ＲＸにまだ送れていない情報、すなわち継続時間が短いバースト性妨害波が存在する時間に伝送する予定であった情報を、継続時間が長いバースト性妨害波が存在する時間のタイムスロットに移し替えて伝送することにより、送信フレームが妨害されることによってスループットが保証値を下回る事象は回避される。この場合も、受信機ＲＸではメモリから誤りのないフレームを定速ｖで読み出すため、受信機下部までのデータ伝送が完了するために必要な時間はＬ／ｖで変わらず、スループットの低下は回避される。
【００３０】
フレーム伝送部５３２は、フレーム伝送方法決定部５３１によって決定された伝送方法に従って、通信伝送路Ｌ２を介して受信機ＲＸへ送信フレームを送信する。受信機ＲＸにおいて、送信機ＴＸから送信されたフレームは、受信機ＲＸの送受信フレーム格納部に格納され、受信機ＲＸのフレーム読み出し部が送受信フレーム格納部からフレームを読み出し、通常のフレーム伝送処理に処理を移す。
【００３１】
上記方法によりフレーム伝送を行うと、スループットを低下させる妨害波が存在する時間にはフレームを送信しない事象が発生するため、通常の伝送方式よりもその分のスループットの低下が起こってしまうことが考えられるが、受信機で受信された送信フレームは送受信フレーム格納部にいったん格納されるため、受信機が送信フレームの情報を読み出す速度は一定である。さらに、その後に入出力インターフェースを介して各伝送処理へ譲渡する形をとることで、受信機で読み出された送信フレームは、原理上、妨害波による影響を排除できているため、通常の伝送処理フローに則った誤り訂正処理などを行った後の復元情報は誤りを含まず、ＡＤＳＬにおけるＣＲＣ検査後に破棄されることも、再送処理を行う必要性もない。
【００３２】
次に、本実施形態に係るデジタル情報伝送システムの動作について説明する。  
図７は、図３に示される送信機ＴＸと受信機ＲＸとの間でのフレーム伝送処理の一例を示すシーケンス図である。送信機ＴＸおよび受信機ＲＸは、送信機ＴＸと受信機ＲＸとの間での通信を行っていない状態で、送信機ＴＸと受信機ＲＸとを接続する通信伝送路Ｌ２上に存在する妨害波を検知する（ステップＳ７１）。送信機ＴＸの妨害波パラメータ抽出部５２は、サブキャリアごとにフレームを妨害する強度を持つ妨害波を検知し（ステップＳ７２）、サブキャリアごとに妨害波の継続時間および発生周期を推定する。続いて、妨害波パラメータ抽出部５２は、サブキャリアごとに推定された妨害波の継続時間および発生周期をスループットと関連付けて記憶部５４に格納する（ステップＳ７３）。受信機ＲＸは、送信機ＴＸと同様に、サブキャリアごとにフレームを妨害する強度を持つ妨害波を検知し（ステップＳ７５）、サブキャリアごとに妨害波の継続時間および発生周期を推定し、サブキャリアごとに推定された妨害波の継続時間および発生周期をスループットと関連付けて記憶部に格納する（ステップＳ７６）。
【００３３】
次に、送信機ＴＸのフレーム伝送方法決定部５３１は、記憶部５４に格納されている情報を参照し、スループットの保証値を確保するフレーム伝送方法を決定する（ステップＳ７４）。送信機ＴＸのフレーム伝送部５３２は、フレーム伝送方法決定部５３１によって決定されたフレーム伝送方法に従ってフレーム送信を行う（ステップＳ７７）。
【００３４】
受信機ＲＸは、送信機ＴＸからフレームを受信し、送受信フレーム格納部に格納する（ステップＳ７８）。受信機ＲＸのフレーム読み出し部は、一定の速度ｖで送受信フレーム格納部からフレームを読み出す（ステップＳ７９）。受信機ＲＸは、読み出したフレームに所定の処理をしてデジタル情報を得て、図示しない電子機器に渡す。これにより、受信機下部では、常にＬ／ｖのスループットが確保された伝送が可能となる。
【００３５】
図８は、図４に示されるデジタル情報伝送処理部５０の動作例を示すフローチャートである。図８のステップＳ８１では、エッジトリガ部５２１は、あるサブキャリアにおいて、妨害波信号の強度が閾値を超えたとき、および妨害波信号の強度が閾値を下回るときを検出する。ステップＳ８２では、計測部５２２は、エッジトリガ部５２１による検出の結果に基づいて、妨害波の継続時間および発生周期を計測する。具体的には、計測部５２２は、妨害波信号の強度が閾値を超えたときから閾値を下回るまでの時間を妨害波の継続時間として計測し、妨害波信号の強度が閾値を超えたときから、一度閾値を下回り、再び閾値を超えるときまでの時間を妨害波の発生周期として計測する。ステップＳ８１およびＳ８２の処理は、例えば、所定の時間間隔にわたって実行され、それにより、妨害波の継続時間および発生周期は複数取得される。
【００３６】
ステップＳ８３では、統計処理部５２３は、計測部５２２による計測の結果に基づいて、今後も通信伝送路に混入する妨害波の継続時間および発生周期を算出し、これを当該サブキャリアの妨害波パラメータとする。具体的には、統計処理部５２３は、計測部５２２によって計測された継続時間および発生周期それぞれについてヒストグラムを作成し、ヒストグラムの極大値となる継続時間および発生周期を今後も通信伝送路に混入する妨害波の継続時間および発生周期として決定する。
【００３７】
ステップＳ８１〜Ｓ８３に示される処理は、受信機ＲＸとの通信に使用するサブキャリアそれぞれに対して実行され、それにより、妨害波パラメータがサブキャリアごとに算出される。ステップＳ８４では、各妨害波パラメータは、その妨害波パラメータの妨害波存在下におけるスループットと関連付けて記憶部５４に保持・更新される。
【００３８】
ステップＳ８５では、フレーム伝送方法決定部５３１は、記憶部５４に格納されている妨害波パラメータと関連付けられたスループットの情報を参照し、スループットの保証値を確保できる伝送方法を決定する。例えば、フレーム伝送方法決定部５３１は、スループットが保証値を超えるサブキャリアについては、妨害波が存在しない時間に送信を行い、スループットが保証値を下回るサブキャリアについては、妨害波が存在する時間および妨害波が存在しない時間の両方において送信を行うように、伝送方法を決定する。ステップＳ８６では、フレーム伝送部５３２は、フレーム伝送方法決定部５３１によって決定された伝送方法に従って受信機側にフレームを送信する。なお、妨害波パラメータ抽出部５２は、スループットとの関連付けを行わずに、サブキャリアごとの妨害波パラメータ（継続時間および発生周期）を記憶部５４に格納し、フレーム伝送方法決定部５３１が、例えばデータベースを参照して、記憶部５４に格納された妨害波パラメータに応じたスループットを得るようにしてもよい。
【００３９】
上述した一連の処理により、妨害波によるサブキャリアの妨害を極力回避して情報伝送を行うことによって、妨害波存在下においても、スループット保証値以上スループットでの情報伝送および誤りの発生確率の最小化が可能となる。
【００４０】
以上のように、第１の実施形態では、送信機において、サブキャリアごとに、閾値を超える強度を持つ電磁妨害波の継続時間および発生周期を推定し、推定された継続時間および発生周期に応じたスループットと保証値との比較に基づいて伝送方法を決定し、決定された伝送方法に従って信号送信を行うようにしている。これにより、妨害波の影響を回避してデジタル情報を伝送することが可能となる。その結果、妨害波が存在する環境下においても、スループットの高い情報伝送を行うことができる。
【００４１】
［その他の実施形態］
上記第１の実施形態においては、ＡＤＳＬ送受信システムに適用した場合を説明したが、本発明の構成は、デジタル情報を時系列電気信号で伝送するＥｔｈｅｒｎｅｔ伝送システムや、マルチキャリア伝送方式であるＯＦＤＭ（Orthogonal Frequency Division Multiplexing）変調方式を採用した無線のデジタル情報伝送システムを含め、各種デジタル情報伝送システムにも適用可能である。また、本発明は、マルチキャリア通信方式に限らず、シングルキャリア通信方式にも適用することができる。さらに、送受信機間の接続は、有線接続に限らず、無線接続であってもよい。さらにまた、第１の実施形態で示した送信フレームが妨害される閾値についても、使用するデジタル情報伝送システムで採用されている誤り訂正処理などを勘案して、閾値を決定することができる。
【００４２】
本発明は、上記各実施形態そのままに限定されるものではなく、実施段階ではその要旨を逸脱しない範囲で構成要素を変形して具体化できる。また、上記各実施形態に開示されている複数の構成要素の適宜な組み合せにより種々の発明を形成できる。例えば、各実施形態に示される全構成要素から幾つかの構成要素を削除してもよい。さらに、異なる実施形態に亘る構成要素を適宜組み合せてもよい。
【符号の説明】
【００４３】
ＴＸ…送信機、ＲＸ…受信機、Ｌ１…ＬＡＮケーブル、Ｌ２…通信伝送路、３１…ＬＡＮインターフェース、３２…ＣＰＵ、３３…メモリ、３４…ＤＳＰ、３５…ＡＦＥ、３６…入出力インターフェース、５０…デジタル情報伝送処理部、５１…ＦＦＴ処理部、５２…妨害波パラメータ抽出部、５３…フレーム伝送処理部、５４…記憶部、５５…送受信フレーム格納部、５２１…エッジトリガ部、５２２…計測部、５２３…統計処理部、５３１…フレーム伝送方法決定部、５３２…フレーム伝送部、５３３…フレーム読み出し部。
【図１】
0006518623.tif 000002
【図２】
0006518623.tif 000003
【図３】
0006518623.tif 000004
【図４】
0006518623.tif 000005
【図５】
0006518623.tif 000006
【図６】
0006518623.tif 000007
【図７】
0006518623.tif 000008
【図８】
0006518623.tif 000009